(57)【要約】【課題】梱包時に嵩張ることがなく、屈曲ノズルを使用しても修復部のノズルの先端を容易に位置合わせできる歯科用シリンジを提供すること。【解決手段】シリンジ１は、ペーストを充填するシリンダ２と、シリンダ２内のペーストを押圧する押出棒３と、ペーストを排出する屈曲ノズル１０と、シリンダ２の外周部の一径方向両外側へ延在する基部１５とを備えている。基部１５の延在方向に対して直角方向に位置する基部１５の各側面部１６に、各側面部１６よりも外側へ突出可能な翼部１７を基部１５に設けている。翼部１７には、押出棒３の作動時に翼部１７を各側面部１６よりも外方へ突出させる開位置と、押出棒の非作動時に翼部１７を開位置の位置よりも内側へ配置する閉位置を有するようにした。【選択図】図４
2010035570.tif 000002
【特許請求の範囲】
【請求項１】
歯牙修復材用のペーストを充填するシリンダと、
一端部に該シリンダ内を摺動しペーストを押圧する押出部を設けるとともに他端部に該押出部をシリンダ内に前進させるための押込部を設けた押出棒と、
前記シリンダの一端側に設けられペーストを排出するノズルと、
前記シリンダの外周部の一径方向両外側へ突出する基部とを備え、
前記ノズルの先端側が屈曲する歯科用シリンジであって、
前記基部の延在方向に対して直角方向両外側に向く側面部に翼部を設け、
前記翼部には、前記各側面部から前記基部面に沿って外方へ突出させる開位置と、前記翼部を閉状態にする閉位置とを有するようにしたことを特徴とする歯科用シリンジ。
【請求項２】
前記基部の各側面と前記翼部との接続部に前記翼部を開閉可能に連結するヒンジ部を設け、前記翼部の前記開位置では該翼部を上記シリンダ軸に対して直角方向に拡げた状態で配置し、前記翼部の前記閉位置では上記シリンダ軸方向に沿うように折り畳み状態で配置するようにしたことを特徴とする請求項１に記載の歯科用シリンジ。
【請求項３】
前記基部には、前記翼部を取り出し又は格納する収容部を形成し、前記翼部の前記開位置では、前記翼部を収容部から取り出した位置に配置し、前記閉位置では前記翼部を収容部に格納した位置に配置するようにしたことを特徴とする請求項１に記載の歯科用シリンジ。
【請求項４】
前記翼部を開閉可能に連結する前記ヒンジ部が、蝶番によって形成されていることを特徴とする請求項２に記載の歯科用シリンジ。
【請求項５】
前記翼部を開閉可能に連結する前記ヒンジ部が、前記翼部と基部との連結部に形成された弱化部であることを特徴とする請求項２に記載の歯科用シリンジ。
【請求項６】
前記開位置で前記翼部を該開位置に係止する開位置係止手段を形成し、前記閉位置で前記翼部を該閉位置に係止する閉位置係止手段を形成するようにしたことを特徴とする請求項１〜５のいずれかに記載の歯科用シリンジ。
【発明の詳細な説明】
【技術分野】
【０００１】
本発明は、歯牙修復材などのペーストが充填され、口腔内において歯牙の修復部に修復材を直接充填することが可能な歯科用シリンジに関する。
【背景技術】
【０００２】
う蝕歯牙の治療は、う蝕部を削り取った後、形成された窩洞状等の修復部に、歯牙修復材ペースト（以下、単にペースト又は修復材とも言う）を充填し、これをそのまま化学重合により、或いは口腔内に光照射して光重合することにより硬化させることで行われる。その際、歯牙修復部への歯牙修復材ペーストの充填は、シリンジ等の容器に収容されるペーストを、一旦外部に注出した後、必要量を採取して、修復部に塗りつけて行われるのが一般的である。
しかしながら、かかる作業は作業性が良くないため、前記歯牙修復材ペーストが充填されるシリンジのペースト注出ノズルを口腔内に進入させ、その前端を歯牙修復部に近づけて直接的に適量を充填することも、多々行われている。そして、こうした用法に対応して、歯牙修復材ペーストを歯牙修復部に充填し易いように、該ペースト注出ノズルの前端を、シリンダの軸方向から前方外向きに鋭角の範囲内において屈曲させたもの（以下、屈曲ノズルという）が特許文献１に開示されている。
【０００３】
シリンジは、ペーストを充填するシリンダとペーストをシリンダから押し出すピストン状の押出棒から構成され、シリンダには挟持部がシリンダの外部に突出している。シリンジを使用するときは、作業者の親指の平を押出棒の後端にあて、人差し指と中指を用いシリンダを挟み込むようにして基部（図１の基部１５参照）にあて、親指を押し込むようにして、ペーストを修復部に塗りつける。
シリンジの基部は、通常シリンダの一径方向の外側へ突出するように形成され、複数のシリンジを梱包時に嵩張らないようにしている。
【特許文献１】特開２００５−３２８８６９号公報
【特許文献２】特開２００２−３６０６９２号公報
【発明の開示】
【発明が解決しようとする課題】
【０００４】
しかしながら、上述した屈曲ノズルを備えたシリンジを使用するときに、人の歯牙は上下左右にあることから、同じ状態で把持しているときには、一方向には使い易いがその他の方向では、屈曲ノズルを修復部にあてるときに、手首を捻るようにして作業を行わなければならない。このため、シリンダに対して基部が回転するようなシリンジもあるが、修復部が変わるたびに、シリンジを持ち換えて両手で基部の位置を作業が行いやすい角度に変更する必要があり、その手間を必要とする。
その他、シリンジではないが、特許文献２に記載されているように、注射器のシリンダに取り外し可能な補助グリップを用意し、使用時に補助グリップを取付け、片手でシリンダを軸周りに回転させて、３６０度どの位置でも、補助グリップが存在し、直線形状の注射針の先端を修復部にあてるようにした注射器がある。このような補助グリップであるとどの角度で注射器を把持しても、シリンダを指先で回転させることによって、注射針の先端を注出部にセットできる。ただし、このような補助グリップは注射器を倒して置くような場合に、補助グリップが円形であるので注射器が転がりやすく落下したり、補助グリップの取り付け、取り外しするような作業が面倒であったり、さらには取り外し自在であるので、補助グリップが紛失することもある。
【０００５】
本発明は、このような事情に鑑みてなされたものであって、屈曲ノズルを使用しても修復部のノズルの先端を容易に位置合わせでき、梱包時に嵩張ることがなく、使用状態や不使用状態にセットするのを容易に行うことができる歯科用シリンジを提供することを目的とする。
【課題を解決するための手段】
【０００６】
上記目的を達成するために本発明の歯科用シリンジは、歯牙修復材用のペーストを充填するシリンダと、一端部に該シリンダ内を摺動しペーストを押圧する押出部を設けるとともに他端部に該押出部をシリンダ内に前進させるための押込部を設けた押出棒と、前記シリンダの一端側に設けられペーストを排出するノズルと、前記シリンダの外周部の一径方向両外側へ突出する基部とを備え、前記ノズルの先端側が屈曲する歯科用シリンジであって、前記基部の延在方向に対して直角方向両外側に向く側面部に翼部を設け、前記翼部には、前記各側面部から前記基部面に沿って外方へ突出させる開位置と、前記翼部を閉状態にする閉位置とを有するようにした。
翼部は、基部に一体的に設けることが好ましく、この場合の一体的とは、物理的に一部材で一体であるものの他、多部材を組み合わせたものであっても分離しないように組み付けられている一体的構造も含む（例えば、後述する第３の実施形態の翼部）。
上記歯科用シリンジは、前記基部の各側面と前記翼部との接続部に前記翼部を開閉可能に連結するヒンジ部を設け、前記翼部の前記開位置では該翼部を上記シリンダ軸に対して直角方向に拡げた状態で配置し、前記翼部の前記閉位置では上記シリンダ軸方向に沿うように折り畳み状態で配置することができる。
上記歯科用シリンジは、前記基部には、前記翼部を取り出し又は格納する収容部を形成し、前記翼部の前記開位置では、前記翼部を収容部から取り出した位置に配置し、前記閉位置では前記翼部を収容部に格納した位置に配置することができる。
上記歯科用シリンジは、前記翼部を開閉可能に連結する前記ヒンジ部を、蝶番によって形成することができる。
上記歯科用シリンジは、前記翼部を開閉可能に連結する前記ヒンジ部が、前記翼部と基部との連結部に形成されている弱化部とすることができる。
弱化部とは翼部と基部とが一部材で一体的であって、ヒンジ部として翼部を回動させるものであればよい。したがって、弱化部を形成するための翼部と基部の素材は、過度に剛性を有するものは適さない。
上記歯科用シリンジは、前記開位置で前記翼部を該開位置に係止する開位置係止手段を形成し、前記閉位置で前記翼部を該閉位置に係止する閉位置係止手段を形成することができる。
ここで、開位置係止手段とは、翼部を開いた状態で基部に固定させる手段であり、閉位置係止手段とは、翼部を閉じた状態（折り畳み状態、格納状態など）でシリンジの何れかに固定させる固定手段である。したがって、翼部が開位置係止手段及び閉位置係止手段に固定されていない場合は、フリー状態となる。
【発明の効果】
【０００７】
本発明の歯科用シリンジは、歯牙修復材用のペーストを充填するシリンダと、一端部に該シリンダ内を摺動しペーストを押圧する押出部を設けるとともに他端部に該押出部をシリンダ内に前進させるための押込部を設けた押出棒と、前記シリンダの一端側に設けられペーストを排出するノズルと、前記シリンダの外周部の一径方向両外側へ突出する基部とを備え、前記ノズルの先端側が屈曲する歯科用シリンジであって、前記基部の延在方向に対して直角方向両外側に向く側面部に翼部を設け、前記翼部には、前記各側面部から前記基部面に沿って外方へ突出させる開位置と、前記翼部を閉状態にする閉位置とを有するようにしたので、患者の患部にノズルからペーストを注出するときにおいて、ノズルの先端の角度が患部に一致していないときは、片手でシリンダを軸周りに回転させれば、その先端を患部に位置合わせできる。その結果、作業が効率を上昇させる効果がある。また、シリンジは、翼部を閉じ状態にしたとき、基部の延在方向の長さよりも小さくなり、梱包時に多数のシリンジを重ねるようにして積み上げても嵩張ることを防止でき、全体の梱包容量を小さくすることができる。
【発明を実施するための最良の形態】
【０００８】
以下、本発明の歯科用シリンジの第１の実施形態について図面を参照しながら説明する。
図１は、本発明のシリンジの部分破断正面図、図２はシリンジの側面図、図３は平面図である。なお、本明細書では、図１の左方を先端（前端）側とし、右方を後端側として説明する。
シリンジ１は歯科用材料であり、流動性を有するペースト（修復材）を充填するシリンダ２を設けている。シリンダ２は断面が円形であって、軸方向の先端部に屈曲ノズル１０を連結したチップ７が取付けられている。屈曲ノズル１０は、先端側が基端側の軸方向に対して鋭角（への字形状）に曲げられている。シリンダ２、チップ７及び屈曲ノズル１０の内部は、各々が連通し、シリンダ２内のペーストを屈曲ノズル１０の先端から吐出することができる。
【０００９】
シリンダ２の後端側には、シリンダ２内のペーストを押し出す押出棒３の挿入用の挿入口８が設けられている。
シリンダ２の挿入口８よりシリンダ内部に挿入される押出棒３は、先端側に押出部４が設けられ、押出部４は先端側に向かって口径が縮径されている。押出部４の基端側の外周部の外径は、シリンダ２の内周面の内径にほぼ等しく形成され、押出部４に近接させて、押出棒３の外周面には環状の凹溝が形成されている。凹溝には環状のシール部材１１が装着され、シール部材１１はペーストの漏れを防止する。
押出棒３は、軸方向中間部では外径を同径に形成し、後端側には、押出棒３を親指の平で押圧できるようにした押込部５が形成されている。押込部５は、後端側に向かって拡径し、後端面が緩やかに窪んだ曲面形状になっている。
【００１０】
シリンダ２の後端側の外周部には、歯科医師などの作業者がシリンダを保持する際に指（通常は、人差し指と中指）を引掛ける挟持部９が設けられている。
本発明に係わる挟持部９は、基部１５と翼部１７とによって構成され、図３に示すよう基部１５は、シリンジ１の後端側から見た平面視が矩形に形成され、基部１５の幅（短辺）は、シリンダ２の外径にほぼ等しく、長手方向では、シリンダ２の筒状部２ａを跨ぐようにして径方向の両外側に突出するように形成されている。
【００１１】
基部１５の長手方向に対して直角方向における一対の側面部（長辺）１６，１６の各々には、翼部１７，１７が設けられている。
図４のＡ〜Ｃは、翼部１７，１７の取付状態を示す図であり、一対の翼部１７，１７は、同一形状であるので、一方の翼部１７のみについて説明する（図４のＡ〜Ｃは図面右側の翼部を省略している）。
翼部１７は、略半円（若しくは弓）形状であり、図４のＡ及びＢに示す開状態、図４のＣに示す閉状態のように、折り畳みできるように形成されている。図４のＡに示すように、翼部１７が開かれた状態では、翼部１７の直線状の肩部１８が側面部１６に臨む位置に配置され、挟持部９の全体形状がほぼ円形になるように形成している。
翼部１７の後端側の面には、三角形状のリブ１７ａが基部１５の延在方向に対して直角方向に形成され、翼部１７の先端側でリブ１７ａの高さが低く、基部１５側の肩部１５で高くなる傾斜面を形成している。
側面部１６と肩部１８との連結は、ヒンジ構造で連結され、本実施形態では、蝶番２０により連結されている。蝶番２０には、側面部１６に一対の軸受け２１が基部１５の長手方向へ間隔を空けて設けられ、図４のＢに示すように、軸受け２１には外側に開口２１ａを形成し、内側に断面が円形の受け部２１ｂが形成されている。軸受け２１の開口２１ａは、受け部２１ｂの内径よりも幅が狭く形成されている。
【００１２】
翼部１７の肩部１８には、３個所に軸支持部２２が間隔を空けて設けられ、各軸支持部２２には軸２２ａが軸支されている。軸２２ａの外径は、開口２１ａの大きさよりも大きく、受け部２１ｂの内径に等しく形成されている。翼部１７を基部１５に取付けるときには、軸２２ａを開口２１ａに差し込み、弾性力によって開口２１ａの幅が広がり、軸２２ａを受け部２１ｂに支持させることができる。こうして、翼部１７は、基部１５に対して折り畳み自在に取付けられる。
翼部１７のリブ１７ａには、ストッパ２３が形成されている（図４のＡではストッパ２３を省略している）。直方体形状のストッパ２３は、リブ１７ａの端面から外側に突出し、翼部１７が開いた状態ではストッパ２３の端面が側面部１６に当接して、それ以上の開きを抑制する。
また、ストッパ２３には、側面部１６と当接する面に係止孔２４が形成されている。一方、側面部１６のストッパ２３と当接する部位には、突起２５が形成されている。突起２５は係止孔２４に対応する位置に配置され、翼部１７を開いた状態では、突起２５に係止孔２４を押し込んで、翼部１７が開かれた状態に維持される。
図３に示すように、翼部１７は閉じた状態で、シリンジ１の基部１５における短辺方向の最大厚さ、すなわち押込部５の外径よりも突出しないようにすることが好ましい。
【００１３】
こうした、シリンジ１が、歯科医師などによって使用されるときは、図４のＣのように、折り畳まれた状態から、蝶番２０によって翼部１７が開かれ、その際、側面部１６の突起２５に翼部１７の係止孔２４を押し込むことによって、突起２５と係止孔２４が嵌合し翼部１７を開いた状態に維持することができる。
歯科医師は、人差し指と中指でシリンダ２を挟み込むようにして、それらの指の平を基部１５若しくは、翼部１７の下面に当て、親指の平を押込部５に当てるようにして、シリンジ１を持つことができる。患者の患部に屈曲ノズル１０から修復材を注出するときにおいて、屈曲ノズル１０の先端の角度が患部に一致していないときは、例えば人差し指と中指をずらすようにして、シリンダ２を軸周りに回転させれば、その先端を患部に位置合わせできる。したがって、歯科医師などは、シリンジ１を持ち変えるようなことなく、片手で作業が可能になり、屈曲ノズル１０がどんな角度にあっても、患部にその先端を当てることができる。
【００１４】
修復材を注出するときは、押込部５を親指によって押し込むようにして、押出棒３をシリンダ２内へ前進させて患部に注出する。このとき、翼部１７に指が当てられているときに、翼部１７には図４のＢの状態にて上向きの力が負荷するが、ストッパ２３が設けられているので、それ以上の翼部１７の回動を阻止する。
作業が終了したとき（又は未使用時）は、翼部１７を折り畳んだ状態で置かれる。このときは、翼部１７が折り畳まれた閉状態であるので、シリンジ１が転がるようなことがなく、安定した状態で置くことができる。
上述したように、シリンジ１は、倒したときの厚さが、基部１５の短辺方向におけるシリンジ１の最大厚さである押込部５の外径とほぼ同じであるので、梱包時に多数のシリンジ１を重ねるようにして積み上げても嵩張ることがなく、１つ及び複数の場合は全体としての梱包容量を小さくすることができる。
【００１５】
次に、本発明の歯科用シリンジの第２の実施形態について、図５のＡ〜Ｃを参照にして説明する。
本実施形態では、上記第１の実施形態のシリンジ１のうち、シリンダ２の挟持部９のみの形状が異なり、押出棒３、チップ７及び屈曲ノズル１０は、上記第１の実施形態と同一構造であるので、これらの部材については、上記第１の実施形態と同一の符合を付して説明し、シリンダのみについて詳細に説明する。また、図１についても、挟持部９が異なるだけなので該挟持部９を除き、適宜図１を参照して説明する。
シリンダ３１は、断面が円形であって軸方向の先端部に、図１に示すものと同じ屈曲ノズル１０を備えているチップ７が取付けられている。屈曲ノズル１０は、先端側が基端側の軸方向に対して鋭角（への字形状）に曲げられている。シリンダ３１の後端側には、シリンダ３１内のペーストを押し出す押出棒３の挿入用の挿入口３１ａが設けられている。
【００１６】
シリンダ２の他端側の外周部には、歯科医師などの作業者がシリンダを保持する際に指を引掛ける挟持部３２が設けられている。
本発明に係わる挟持部３２には、図５のＡに示すようにシリンダ３１の後端側から平面視で見て、ほぼ矩形の基部３３が設けられ、基部３３の幅（短辺）は、シリンダ３１の外径にほぼ等しく、長手方向ではシリンダ３１の一径方向の両外側に突出するように形成されている。
【００１７】
基部３３の長手方向に対して直角方向における一対の側面部（長辺）３４，３４の各々には、翼部３５，３５が設けられている。一対の翼部３５，３５は、同一形状であるので、以下、一方の翼部３５のみについて説明する。
翼部３５は、略半円（若しくは弓）形状であり、図５のＡ及びＢに示すように、シリンダ３１の軸に対して直角方向に開き、図４のＣに示すようにシリンダ３１の軸方向に沿って閉じるように、折り畳みできるように形成されている。
側面部３４と肩部３６との連結は、ヒンジ構造で連結され、本実施形態では、薄肉部３７により連結され、薄肉部３７は側面部３４と肩部３６の連結部において、後端側の面（図５のＢでは上面）に一直線状にかつスリット状に形成されている。薄肉部３７の深さは、翼部３５を折り畳んだ状態から無負荷状態にした場合に、図５のＡ及びＢの状態に開かれるように、薄肉部３７に弾性力を維持させる深さに形成する必要がある。
【００１８】
シリンダ３１の外周面には、該外周面の半径方向外側へ突出する一対の係止突起３８が一径方向線上に設けられている。一方、翼部３５には、図５のＢに示すように、翼部３５の開状態で先端側の面（図５のＢでは翼部３５の下面）に係止凹部３９を形成している。係止凹部３９は、翼部３５が閉状態で、係止突起３８に対応する位置に設けられ、係止突起３８と係止凹部３９が嵌合することによって、図５のＣに示すように、翼部３５が折り畳まれて閉状態となる。
翼部３５の後端側の面には、三角形状のリブ４０が基部３３の延在方向に対して直角方向に形成され、翼部３５の先端側でリブ４０の高さが低く、基部３３側の肩部３５で高くなる傾斜面を形成している。
翼部３５は、閉状態で、基部１５の短辺方向におけるシリンジ１の最大厚さ、すなわち押込部５（図３参照）の外径よりも突出しないようにすることが好ましい。
【００１９】
こうした、シリンジ１は、歯科医師などによって使用されるときは、図５のＣのように、折り畳まれた状態から、係止突起３８と係止凹部３９との係合解除によって、翼部３５が弾性力によって開状態となる。
歯科医師は、人差し指と中指でシリンダ３１を挟み込むようにして、それらの指の平を基部３３若しくは、翼部３５の下面に当て、親指の平を押込部５（図１参照）に当てるようにして、シリンジ１を持つことができる。患者の患部に屈曲ノズル１０（図１参照）から修復材を注出するときにおいて、屈曲ノズル１０の先端の角度が患部に一致していないときは、例えば人差し指と中指をずらすようにして、シリンダ３１を軸周りに回転させれば、その先端を患部に位置合わせできる。
シリンジ１から修復材を注出するときには、押込部５を親指で押圧するが、その際、翼部３５に指が当てられているときに、翼部３５には図５のＢの状態にて上向きの力が負荷するが、リブ４０が形成されているので、リブ４０が側面部３４に当接し、翼部３５のそれ以上の回動を阻止する。
【００２０】
作業が終了したとき（又は未使用時）は、翼部３５が折り畳んだ状態で置かれる。このときは、翼部３５が折り畳まれた状態であるので、シリンジ１が転がるようなことがなく、安定した状態で置くことができる。
上述したように、シリンジ１は、倒したときの厚さが、基部３３の短辺方向におけるシリンジ１の最大厚さである押込部５の外径とほぼ同じであるので、１つでも嵩張ることなく、また多数のシリンジ１を重ねるようにして積み上げても嵩張ることがなく、梱包容量を小さくすることができる。
【００２１】
次に、本発明の歯科用シリンジの第３の実施形態について、図面を参照して説明する。
本実施形態では、上記第１の実施形態のシリンジ１のうち、シリンダ２のみの形状が異なり、押出棒３、チップ７及び屈曲ノズル１０は、上記第１の実施形態と同一構造であるので、これらの部材については、上記第１の実施形態と同一の符合を付して説明し、シリンダのみについて詳細に説明する。また、図１についても、挟持部９が異なるだけなので該挟持部９を除き、適宜図１を参照して説明する。
図６を参照にして、シリンダ４１は、断面が円形であって軸方向の先端側部に屈曲ノズル１０を備えているチップ７が取付けられている。屈曲ノズル１０は、先端側が基端側の軸方向に対して鋭角（への字形状）に曲げられている。シリンダ４１の他端側には、シリンダ４１内のペーストを押し出す押出棒３の挿入用の挿入口４１ｂが設けられている。
【００２２】
図６及び図７に示すように、シリンダ４１の後端側の外周部には、歯科医師などの作業者がシリンダを保持する際に指を引掛ける挟持部４２が設けられている。挟持部４２には、図７に示すようにシリンダ４１の後端側から平面視で見て、ほぼ矩形の基部４３が設けられ、基部４３の幅（短辺）は、中央部でシリンダ４１の円筒部４１ａの外径にほぼ等しく、長手方向の外側ではシリンダ４１の外径よりも幅広く形成されている。基部４３の長手方向では、円筒部４１ａを跨ぐようにして、円筒部４１ａの一径方向の外周部の外側へ突出する。
基部４３の内部には、一対の翼収納孔４４，４５を形成している。翼収納孔４４，４５は、基部４３の長手方向に対して直角方向に貫通し、翼収納孔４４，４５には翼部４６が摺動可能に支持されている。
【００２３】
翼部４６は、略Ｕ字形状であって、翼部４６の両端部でありかつ翼部４６の付け根に位置する摺動部４６ａが形成され、摺動部４６ａが翼収容孔４４，４５を、基部４３の長手方向に対して直角方向へ摺動するように格納されている。
図７のＢに示すように、翼収容孔４４，４５の内壁には係止突部４７が形成される一方、摺動部４６ａの係止突部４７が形成されている面に対応する面には、係止孔４８が形成されている。図７のＡに示すように、翼部４６が引き出された開状態では、係止突部４７と係止孔４８が係合状態となり、翼部４６が開位置に係止される。また、図７のＢに示すように、翼部４６が格納された翼部４６の閉状態では、係止突部４７と係止孔４８とが非係合状態となる。この際、係止突部４７は、翼部４６の摺動部４６ａが当接すると、係止突部４７を摺動部４６ａが乗り越えることができず、無負荷では翼部４６が開状態となるのを規制する。係止突部４７は、人手による負荷によって、翼部４６の弾性力によって乗り越えることができる。
翼収容孔４４，４５の開口端部（基部の短辺方向外側）には、規制壁４４ａ，４５ａが形成されている。翼部４６の外側面が規制壁４４ａ，４５ａに当接して、翼部４６の開状態における翼収容孔４４，４５からの脱落を防止している。
【００２４】
こうした、シリンジ１は、歯科医師などによって使用されるときは、図７のＢのように、折り畳まれた状態から、翼部４６の摺動部４６ａの外方への摺動によって、係止突部４７と係止孔４８とが係合するまで引き出して、翼部４６が開状態となる。
歯科医師は、人差し指と中指でシリンダ４１を挟み込むようにして、それらの指の平を基部４３若しくは、翼部４６の下面に当て、親指の平を押込部５（図１参照）に当てるようにして、シリンジ１を持つことができる。患者の患部に屈曲ノズル１０（図１参照）から修復材を注出するときにおいて、屈曲ノズル１０の先端の角度が患部に一致していないときは、例えば人差し指と中指をずらすようにして、シリンダ４１を軸周りに回転させれば、その先端を患部に位置合わせできる。
【００２５】
作業が終了したとき（又は未使用時）は、翼部４６を一旦下方に少し下げて、係止突部４７と係止孔４８の係合を解除した後、翼部４６を内方へ押圧して翼収容孔４４，４５に格納する。このときは、翼部４６が折り畳まれた状態であるので、シリンジ１が転がるようなことがなく、安定した状態でシリンジ１を置くことができる。
上述したように、シリンジ１は、倒したときの厚さが、図７のＢに示すように、基部４３の短辺方向におけるシリンジ１の最大厚さとほぼ同じであるので、梱包時に多数のシリンジ１を重ねるようにして積み上げても嵩張ることがなく、梱包容量を小さくすることができる。
【００２６】
以上、本発明を実施形態に基づいて添付図面を参照しながら詳細に説明したが、本発明は上記実施形態に限定されるものではなく、本発明の範囲を逸脱することなく、更に他の変形あるいは変更が可能である。
例えば、上記第１の実施形態では、上記第２の実施形態では、閉状態にて翼部３５を係止させる係止突起３８と係止凹部３９を形成したが、第１の実施形態においても、翼部１７を閉状態にて、係止突起３８と係止凹部３９によって係止させるようにしてもよい。
例えば、上記第２の実施形態では、薄肉部３７を直線形状かつスリット状に形成したが、弾性力を調整するため、薄肉部分と薄肉にしていない部分とを組み合わせて弾性力を大きくしてもよい。また、薄肉部３７に代えてスリット状の貫通孔を一直線状に複数形成するようにしてもよい。さらには、同じ厚さの素材であってもヒンジ部とする部分を折り曲げて、部分的に材料を疲労させるようにして弱化させてもよい。
【図面の簡単な説明】
【００２７】
【図１】本発明の第１の実施形態における歯科用シリンジの正面図である。
【図２】本発明の第１の実施形態における歯科用シリンジの側面図である。
【図３】図１のシリンジを後端側（図１のシリンジの押込部側）から見た平面図である。
【図４】Ａは、シリンジの翼部が開状態の平面図、Ｂは翼部が開状態の正面図、Ｃは翼部が閉状態の側面図である。
【図５】本発明の第２の実施形態における歯科用シリンジであって、Ａは歯科用シリンジの翼部が開状態の平面図、Ｂは翼部が開状態の正面図、Ｃは翼部が閉状態の側面図である。
【図６】本発明の第３の実施形態における歯科用シリンジのシリンダの側面図である。
【図７】本発明の第３の実施形態における歯科用シリンジであって、Ａはシリンダの翼部が開状態の平面図、Ｂは翼部が閉状態の平面図である。
【符号の説明】
【００２８】
１  シリンジ
２，３１，４１  シリンダ
３  押出棒
５  押込部
９，３２，４２  挟持部
１０  屈曲ノズル
１５，３３，４３  基部
１６，３４  側面部
１７，３５，４６  翼部
２０  蝶番（ヒンジ部）
２４  係止孔（第１開位置係止手段）
２５  突起（第１開位置係止手段）
３７  薄肉部（ヒンジ部：弱化部）
３８  係止突起（閉位置係止手段）
３９  係止凹部（閉位置係止手段）
４７  係止孔（第２開位置係止手段）
４８  係止突部（第２開位置係止手段）
【図１】
2010035570.tif 000003
【図２】
2010035570.tif 000004
【図３】
2010035570.tif 000005
【図４】
2010035570.tif 000006
【図５】
2010035570.tif 000007
【図６】
2010035570.tif 000008
【図７】
2010035570.tif 000009